(57)【要約】    【課題】    物品支持装置は、収納用具（段ボール箱など）が大型でかつ、重量物であり、その改善の方法が求められている。また、収納用具の運搬経費が高価であり、形状が固定である、などの問題があった。  【解決手段】  ３次元可変ジョインタは、センタジョインタ１、可変ジョインタ２、ベースジョインタ３および、センタロッド１１、可変ロッド２１，ベースロッド３１で構成する。そして、３個のジョインタ１、２、３および、３本のロッド１１、２１，３１は、一つの支点接合部５で結合する。また、可変ジョインタ２は、支点接合部５を中心として、自由に角度が変えられる。【選択図】        図２
2005273711.tif 000002
【特許請求の範囲】
【請求項１】
フレーム構造物を構成する可変ジョインタの機構であって、一つの支点を中心にして、３個以上のジョインタでロッドを結合することを特徴とする３次元可変ジョインタ。
【請求項２】
フレーム構造物を構成する可変ジョインタの機構であって、一つの支点に対する上記３個以上のジョインタの取付け角度が０°上２７０°までに可変できることを特徴とする請求項１に記載の３次元可変ジョインタ。
【請求項３】
フレーム構造物を構成する可変ジョインタの機構であって、一つの支点に対する上記３個以上のジョインタの取付けが任意の角度で固定できることを特徴とする請求項１乃至２に記載の３次元可変ジョインタ。
【発明の詳細な説明】
【技術分野】
【０００１】
個人および企業が、簡便に使用できるフレーム構造を用いた、収納容器、収納用具、陳列台、照明器具、ペットケージ、ホビークラフト用品、トイ、農業園芸用品、建築部材などの構造に関するフレームを構成するジョインタ機構に関する。
【背景技術】
【０００２】
物品の付け外しが極めて容易であると共に、商品の展示や小物類の支持に非常に好適な物品支持装置が提案されている。
【０００３】
【特許文献１】特願２００２−３２９０３５号公報
【発明の開示】
【発明が解決しようとする課題】
【０００４】
しかし、このような物品支持装置を使用して、フレームを構成することは、製品単価が高価となり、さらに、形状が任意可変の形状保持とはならず、フレームのサイズも大きく、しかも、重量も重くなる。このことは、物品支持装置の保管コストおよび、輸送コストを押し上げる要因になる。
本発明では、これらの問題を解決する３次元可変ジョインタを提示する。
【課題を解決するための手段】
【０００５】
本発明では、新たな方法の提示により、以上に説明した課題に応えるものである。
この目的を達成するため、本発明においては、特許請求の範囲に記載するように構成して
いる。すなわち、本発明は、請求項１に記載のように、
フレーム構造物を構成する可変ジョインタの機構であって、一つの支点を中心にして、３個以上のジョインタでロッドを結合することを特徴とする３次元可変ジョインタを構成する。
また、本発明は、請求項２に記載のように、
フレーム構造物を構成する可変ジョインタの機構であって、一つの支点に対する上記３個以上のジョインタの取付け角度が０°以上２７０°までに可変できることを特徴とする請求項１に記載の３次元可変ジョインタを構成する。
また、本発明は、請求項３に記載のように、
フレーム構造物を構成する可変ジョインタの機構であって、一つの支点に対する上記３個以上のジョインタの取付けが任意の角度で固定できることを特徴とする請求項１乃至２に記載の３次元可変ジョインタを構成する。
【発明の効果】
【０００６】
本発明に係る３次元可変ジョインタによって得られる効果を請求項ごとに説明する。
【０００７】
まず、請求項１の発明においては、フレームおよび展示用具の小型、軽量化が実現し、物流コストが低減する。また、収納物および展示物に対応したフレームおよび展示用具の組立が容易となる。さらに、再利用が可能となる。
また、請求項２の発明においては、用途が、収納用、展示用など多目的に適用できる。
また、請求項３の発明においては、重量の重い展示物などを、確実に支持するフレームを構成することが可能となる。
【発明を実施するための最良の形態】
【０００８】
以下に実施例を示す。
【実施例１】
【０００９】
図１は本発明に係る３次元可変ジョインタの適用例を示す図である。図１−（１）に示すように、収納用具７１に適用する３次元可変ジョインタは、縦方向のロッドを中間で結合するＡ１，Ａ２，Ａ３，Ａ４および、横方向のロッドを上面で結合するＢ１，Ｂ２，Ｂ３，Ｂ４と、下面で結合するＢ５，Ｂ６，Ｂ７，Ｂ８によって構成する。
【００１０】
また、図１−（２）に示すように、３次元可変ジョインタの設定角度を、変化させることによって、折り畳むことができる。
【００１１】
以上説明したように、収納用具の小型、軽量化が実現し、物流コストが低減する。
【実施例２】
【００１２】
図２は本発明に係る３次元可変ジョインタとロッドの組立図である。図２に示すように、３次元可変ジョインタは、センタジョインタ１、可変ジョインタ２、ベースジョインタ３および、センタロッド１１、可変ロッド２１，ベースベースロッド３１で構成する。そして、３個のジョインタ１、２、３および、３本のロッド１１、２１，３１は、一つの支点接合部５で結合する。また、可変ジョインタ２は、支点接合部５を中心として、自由に角度が変えられる。
【００１３】
これら、センタロッド１１、可変ロッド２１および，ベースベースロッド３１は、各、一例として、長さが約４０ｍｍである。
そして、センタジョインタ１、可変ジョインタ２、ベースジョインタ３は、以下の手順で結合する。
【００１４】
まず、ベースジョインタ３のリング受部５２に、可変ジョインタ２のリング５１を差し込ませる。差し込みの回転方向の位置は、リング受部５２のノッチ６２と、リング５１の溝６１を一致させる。
【００１５】
ノッチ６２の突起の高さおよび、溝６１の深さは、ベースジョインタ３と可変ジョインタ２の、差し込みの強度を決定する要因となり、約０．４ｍｍ〜０．５ｍｍが適切である。この、リング受部５２とリング５１の差し込みによって、組立てた後は、可変ジョインタ２は、ベースジョインタ３を中心として、溝６１の回転方向のピッチ角度に従って回転および、保持することができる。
【００１６】
次に、センタジョインタ１を、リング受部５２とリング５１に差し込んで固定する。
そして、センタジョインタ１にセンタロッド１１、可変ジョインタ２に可変ロッド２１、ベースジョインタ３にベースベースロッド３１を各、差し込む。
【００１７】
以上の手順によって構成した、本発明による３次元可変ジョインタによって、３本のロッド１１、２１，３１は、３次元方向に結合することができる。また、３本のロッド１１、１２，１３の結合および、使用した後の分離が容易である。
【００１８】
また、実施例２では、３個の３次元可変ジョインタ１、２および，３の長さは、約４０ｍｍの場合を説明したが、本発明による３次元可変ジョインタは、使用目的によって、サイズを変えることにより、大型から小型まで、種々の寸法のフレームに適用できることは明らかである。
【００１９】
そして、センタジョインタ１、可変ジョインタ２、ベースジョインタ３は、各、金型で一体化した方法で製造する。さらに、３個の３次元可変ジョインタ１、２および，３の材料は、例えば、強化樹脂または、ポリエチレン樹脂を使用し、低価格、高強度および、高耐久性を実現する。
【００２０】
なお、図１に示した３本のロッド１１、２１，３１は、各、３個の３次元可変ジョインタ１、２および，３の内径に沿って、差し込ませる。また、３本のロッド１１、２１，３１が、金属性のパイプであっても、各、３個の３次元可変ジョインタ１、２および，３の外径に合せて、差し込ませることも可能である。
【実施例３】
【００２１】
図３は、図１に示したコーナー接合部Ｂ５の３次元可変ジョインタの説明図である。図３に示すように、図２で説明した手順によって、センタジョインタ１、可変ジョインタ２および、ベースジョインタ３を組立てた３次元可変ジョインタに、センタロッド１１、可変ロッド２１，ベースベースロッド３１を各、差し込ませる。そして、可変ジョインタ２を回転させて、ベースロッド３１に対して、角度９０°に設定することにより、図１に示したコーナー接合部Ｂ５の３次元可変ジョインタになる。
【００２２】
そして、図４は、図１に示した直線結合部Ａ４の３次元可変ジョインタの説明図である。図４に示すように、図２で説明した手順によって、センタジョインタ１、可変ジョインタ２および、ベースジョインタ３を組立てた３次元可変ジョインタに、センタロッド１１、可変ロッド２１，ベースロッド３１を各、差し込ませる。そして、可変ジョインタ２を回転させて、ベースロッド３１に対して、角度１８０°に設定することにより、図１に示した直線結合部Ａ４の３次元可変ジョインタになる。
【実施例４】
【００２３】
図５は本発明に係る３次元可変ジョインタを展示用ケースに適用した図である。図５に示すように、展示用ケース７２の３次元可変ジョインタは、横方向のロッドを上面で結合するコーナー接合部Ｃ１，Ｃ２，Ｃ３，Ｃ４と、下面で結合するコーナー接合部Ｃ５，Ｃ６，Ｃ７，Ｃ８によって構成する。そして、上面で展示物を搭載する展示台７３を設置する。
【００２４】
従って、展示物を展示台７３に搭載するためには、上面で結合するＣ１，Ｃ２，Ｃ３，Ｃ４とロッドの結合を強化する必要がある。また、下面で結合するＣ５，Ｃ６，Ｃ７，Ｃ８も展示用ケース７２の全体の強度を維持するためには、上面のコーナー接合部Ｃ１，Ｃ２，Ｃ３，Ｃ４と、同じ３次元可変ジョインタを必要とする。
そこで、図６は図５に示した３次元可変ジョインタの一例の説明図である。図２で説明した可変ジョインタ２は、ベースロッド３１に対して、角度９０°に設定したが、図６に示すように、可変ジョインタ２は、ベースロッド３１に対して、角度２７０°に設定する。従って、可変ジョインタ２は、ベースジョインタ１のストッパー５３で停止されるので、可変ジョインタ２は、ベースロッド３１に対して、角度２７０°に確実に設定される。
【００２５】
以上説明したように、可変ジョインタ２は、ベースロッド３１に対して、角度２７０°に確実に設定されるので、図５に示した、展示用ケース７２の３次元可変ジョインタとして、最適な適用例になる。
【００２６】
図７は、３次元可変ジョインタを４方向に使用した構成の説明図である。図７に示すように、展示用ケース７２Ａと、展示用ケース７２Ｂを結合するために、３次元可変ジョインタＤ５，Ｄ６，Ｄ７および、Ｄ８のセンタジョインタ１の底部に第４の軸を加えたものである。ベースジョインタ３にセンタジョインタ１を差し込むことにより、第４の軸を設けることができる。これにより、ロッドＥ５，Ｅ６，Ｅ７および、Ｅ８を、３次元可変ジョインタＤ５，Ｄ６，Ｄ７および、Ｄ８に結合できる。従って、異なる２つの展示用ケース７２Ａと、展示用ケース７２Ｂの結合が可能となる。
【００２７】
図８は図７に示した３次元可変ジョインタＤ７の説明図である。図８に示すように、ベースジョインタ３に、センタジョインタ１の底部に第４の軸のロッドジョインタ４を設ける。この構造で分かるように、図７に示したロッドＥ７を、第４の軸のロッドジョインタ４に差し込むことができるので、展示用ケース７２Ａと、展示用ケース７２Ｂは、容易に結合できる。
【００２８】
以上説明したように、３次元可変ジョインタは、４軸の機能を有するので、多目的な用途に適用できる。
【実施例５】
【００２９】
次に、図９はロッドの結合を２本とする３次元可変ジョインタの説明図である。図９に示すように、図２で説明した手順によって、センタジョインタ１、可変ジョインタ２および、ベースジョインタ３を組立てた３次元可変ジョインタに、センタロッド１１、可変ロッド２１，ベースロッド３１を各、差し込ませる。そして、可変ジョインタ２を回転させて、ベースロッド３１に対して、角度０°に設定することにより、図１−（２）に示したコーナー接合部Ａ１，Ａ２，Ａ３，Ａ４および、Ｂ１，Ｂ２，Ｂ３，Ｂ４、Ｂ５，Ｂ６，Ｂ７，Ｂ８の３次元可変ジョインタが実現する。すなわち、収納用具７１は、容易に折り畳むことが可能となり、コンパクトな状態になる。
以上実施例１〜５で説明したように、展示物に対応した展示用具の組立が容易となり、さらに、展示物が重量物であっても強固で安定した展示用ケースが実現する。そして、用途が、収納用、展示用、家庭園芸用など多目的に適用できる。また、その結果、フレームの小型、軽量化が実現し、物流コストが低減する。さらに、収納物に対応したフレームの組立が容易となり、再利用可能が可能となる。
【図面の簡単な説明】
【００３０】
【図１】本発明に係る３次元可変ジョインタの適用例を示す図である。
【図２】本発明に係る３次元可変ジョインタとロッドの組立図である。
【図３】図１に示したコーナー接合部Ｂ５の３次元可変ジョインタの説明図である。
【図４】図１に示した直線結合部Ａ４の３次元可変ジョインタの説明図である。
【図５】本発明に係る３次元可変ジョインタを展示用ケースに適用した図である。
【図６】図５に示した３次元可変ジョインタの一例の説明図である。
【図７】可変ジョインタ２を４方向に使用した構成の説明図である。
【図８】図７に示した３次元可変ジョインタＤ７の説明図である。
【図９】ロッドの結合を２本とする３次元可変ジョインタの説明図である。
【符号の説明】
【００３１】
１  センタジョインタ
２  可変ジョインタ
３  ベースジョインタ
４  第４の軸のロッドジョインタ
５  支点接合部
６  センタロッド軸
７  可変ロッド軸
８  ベースロッド軸
１１  センタロッド
２１  可変ロッド
３１  ベースロッド
５１  リング  
５２  リング受部
５３  ストッパー
６１  溝
６２  ノッチ
７１  収納用具
７２  展示用ケース
７２Ａ  展示用ケース
７２Ｂ  展示用ケース
７３  展示台
【図１】
2005273711.tif 000003
【図２】
2005273711.tif 000004
【図３】
2005273711.tif 000005
【図４】
2005273711.tif 000006
【図５】
2005273711.tif 000007
【図６】
2005273711.tif 000008
【図７】
2005273711.tif 000009
【図８】
2005273711.tif 000010
【図９】
2005273711.tif 000011